(57)【要約】【課題】本体の構造がパイプ型であるスピーカ装置において、管共振によって共振ピークや高調波歪みのピークが大きくなり、耳障りな音を発する問題を解消する。【解決手段】筒状の本体２０を有するスピーカ装置１０は、本体２０の軸方向の一方の端面には音響放出開口２１ａが設けられ、本体２０の側面には、本体２０の軸線ＣＬに交差する方向に複数個の開口２２が設けられ、音響部材３０または密閉蓋５０が装着可能であり、音響部材３０が、本体２０の軸方向長さ中心よりも音響放出開口２１ａ側の２つの開口２２に装着され、音響部材３０が装着されていないその他の開口２２は、密閉蓋５０を装着する。【選択図】        図２
2004282355.tif 000002
【特許請求の範囲】
【請求項１】
少なくとも一方の端面に音響放出開口を有する筒状の本体を有し、前記本体の軸方向長さ中心よりも前記音響放出開口側に、スピーカユニットが取り付けられた音響部材が装着されていることを特徴とするスピーカ装置。
【請求項２】
前記本体の軸線ＣＬに交差する方向に複数の開口が設けられ、前記開口は前記音響部材が装着可能に構成されていることを特徴とする請求項１に記載のスピーカ装置。
【請求項３】
前記本体は、前記音響放出開口と対向する端面に開口が設けられ、前記開口は前記音響部材が装着可能に構成されていることを特徴とする請求項１または２に記載のスピーカ装置。
【請求項４】
音響放出用の部材として、筒状のポートが、前記音響放出開口に取り付けられていることを特徴とする請求項１〜請求項３のいずれかに記載のスピーカ装置。
【請求項５】
音響放出用の部材として、先端が拡がっているホーンが、前記音響放出開口に取り付けられていることを特徴とする請求項１〜請求項３のいずれかに記載のスピーカ装置。
【発明の詳細な説明】
【０００１】
【発明の属する技術分野】
この発明は、スピーカ装置に関するものである。
【０００２】
【従来の技術】
図１には、従来のスピーカ装置が示されている（例えば、特許文献１参照。）。このスピーカ装置１００では、夫々両端が開口した主キャビネット部１０１、副キャビネット部１０２およびポート部１０３を順次連接して、キャビネット１０４が筒状に形成されている。主キャビネット部１０１の両開口部には、夫々スピーカユニット１０５を主キャビネット部１０１の外側へ向けて取り付けるためのスピーカ取り付け部１０６、１０７が設けられている。
【０００３】
以上の構成から、主キャビネット部１０１のスピーカ取り付け部１０６にスピーカユニット１０５を外向きに取り付けることにより、主キャビネット部１０１および副キャビネット部１０２の容積に対応したバスレフ方式のスピーカ装置１００が構成される。
【０００４】
【特許文献１】
特開平５−２３６５８２号公報（第３頁、第１図）
【０００５】
【発明が解決しようとする課題】
上述のスピーカ装置１００のような、キャビネットの構造がパイプ型のスピーカ装置では、キャビネットが共振管として作用し、その管共振による共振ピークや高調波ひずみのピークが大きくなって、耳障りな音となる虞がある。
【０００６】
本発明が解決しようとする課題としては、上述した従来技術において生じている管共振による共振ピークや高調波歪みのピークが大きくなって、耳障りな音を発する虞があると言う問題を解消することが一例として挙げられる。
【０００７】
【課題を解決するための手段】
請求項１に記載した発明は、少なくとも一方の端面に音響放出開口を有する筒状の本体を有し、前記本体の軸方向長さ中心よりも前記音響放出開口側に、スピーカユニットが取り付けられた音響部材が装着されていることを特徴とする。
【０００８】
【発明の実施の形態】
以下、本発明に係るスピーカ装置の実施の形態を図面に基づいて詳細に説明する。図２は一実施の形態を示す斜視図、図３（Ａ）は一実施の形態を示す左端面図、（Ｂ）は平面図、（Ｃ）は右端面図である。
【０００９】
図２および図３に示すように、本発明の実施の形態に係るスピーカ装置１０は、キャビネットの一部である筒状の本体２０を有しており、この本体２０の軸方向の一方の端面には音響放出開口２１ａが設けられている。本体２０の側面には、本体２０の軸線ＣＬに交差する方向（例えば直交方向）に複数個（例えば４個）の開口２２が設けられている。各開口２２には、取付用パイプ２３が突出して設けられており、内部には、コネクタ２４が設けられている。
そして、この各開口２２は、音響部材３０または密閉蓋５０が装着可能であり、他方（図２（Ｂ）中右側端）の端面の開口２１ｂにも同様に音響部材３０または密閉蓋５０が装着可能である。
【００１０】
音響部材３０は、筒状の管の先端部にスピーカユニット３２が取り付けられているものである。また、音響部材３０の基端部には、取付用パイプ２３あるいは本体２０の右側端部２０ａに接続するためのスリーブ部３３が設けられている。
【００１１】
さらに、音響部材３０は、スリーブ部３３の内側にコネクタ３４が設けられており、スリーブ部３３を取付用パイプ２３に取り付けると、コネクタ２４とコネクタ３４とが接続され、音響部材３０が固定される。
【００１２】
本実施の形態においては、このような音響部材３０は、本体２０の軸方向長さ中心よりも音響放出開口２１ａ側の２つの開口２２（図３の位置▲１▼、▲２▼）にのみ装着されている。また、音響部材３０が装着されていないその他の開口２２（図３の位置▲３▼、▲４▼）には、密閉蓋５０が装着されている。また、開口２１ｂ（図３の位置▲５▼）にも同様に密閉蓋５０が装着されている。
【００１３】
また、音響放出開口２１ａには、音響放出用の部材として筒状のポート４１が連結部材４０を介して、脱着可能に取り付けられている。
従って、各音響部材３０のスピーカユニット３２から前方に音波が発せられると共に、スピーカユニット３２の裏面から発せられる音波が音響放出開口２１ａを通って、ポート４１の開口部より放射される。
【００１４】
また、図４に示すように、音響放出開口２１ａには、音響放出用の部材として、先端が拡がっているホーン４２を脱着可能に取り付けられていてもよい。
【００１５】
なお、任意の箇所からのリード線の引き出しや端子の設置等により、各スピーカユニット３２と外部のアンプ等への電気的接続ができる（例えば、図３に示すように、開口２１ｂ側の本体２０の側面に孔を空けてリード線２５を引き出す等）。
【００１６】
次に、このスピーカ装置１０において、装着されている音響部材３０の本数を１〜４本に変化させ、音響部材３０を本体２０の軸方向長さ中心よりも音響放出開口２１ａ側（すなわち、ポート４１側）に取り付けた各実施例の音響特性を測定した。
また、比較例として、同じ本数の音響部材３０が本体２０の軸方向長さ中心よりも遠い位置に装着された場合についてそれぞれ音響特性を測定した。そして、各実施例と対応する比較例との測定結果を比較した。
【００１７】
各実施例および各比較例の測定条件を示す。
まず、測定に用いたスピーカ装置の各部位の寸法は、以下の通りである（図５の（ａ）参照。なお、他の実施例および比較例の各部位の寸法も同様である）。
本体の径：        ａ１（内径）＝４０ｍｍ、ａ２（外径）＝５０ｍｍ、
本体およびポートの軸方向長さ：  ｂ＝３８４ｍｍ、
音響部材の径：    ｃ１（内径）＝４４ｍｍ、ｃ２（外径）＝４８ｍｍ、
音響部材の長さ：  ｄ＝１０５ｍｍ、
ポートの径：      ｅ１（内径）＝３２ｍｍ、ｅ２（外径）＝３８ｍｍ、
ポートの長さ：    ｆ＝１５０ｍｍ、
そして、入力電圧：０．８２９Ｖ（周波数１００Ｈｚ時）、リファレンスレベル：６０ｄｂ、周波数１０Ｈｚ〜１０００Ｈｚの条件で音を発して、ポート４１の正面から２５ｃｍ離れた位置に設置したマイクロホンＭＣで収音された音の周波数特性（ｆ特）、第２高周波歪み（２ｎｄＨＤ）および第３高周波歪み（３ｒｄＨＤ）を測定した。また、スピーカ装置１０のアドミッタンスも同時に測定した。
【００１８】
各グラフにおいて、縦軸は音圧レベルあるいはアドミッタンスの値を示し、グラフ左端の左側の目盛りは、周波数特性（ｆ特）の音圧レベル（ｄＢ）、右側の目盛りは、第２高周波歪み（２ｎｄＨＤ）および第３高周波歪み（３ｒｄＨＤ）の音圧レベル（ｄＢ）の目盛りである。
また、グラフ右端の目盛りは、アドミッタンスの値（Ω）の目盛りである。なお、第２高周波歪み（２ｎｄＨＤ）および第３高周波歪み（３ｒｄＨＤ）は、３０ｄＢレベルを上げて表示してある。
また、各グラフにおいて、横軸は周波数（Ｈｚ）である。
【００１９】
（実施例１）
音響部材３０を１本装着する場合であり、図５の（ａ）に示すように、音響放出開口２１ａから近い位置である位置▲２▼（位置▲１▼でもよい）に装着した。その他の位置▲１▼、▲３▼、▲４▼、▲５▼には密閉蓋５０を取り付けて密閉した。そして、周波数特性（ｆ特）、第２高調波歪み（２ｎｄＨＤ）、第３高調波歪み（３ｒｄＨＤ）、アドミッタンスを測定した。その測定結果のグラフを図５の（ｂ）に示した。
上記実施例１に対する比較例１−１は、図６の（ａ）に示すように音響部材３０を位置▲５▼に装着し、位置▲１▼、▲２▼、▲３▼、▲４▼を密閉蓋５０で密閉した。また、比較例１−２は、図７の（ａ）に示すように音響部材３０を位置▲４▼に装着し、位置▲１▼、▲２▼、▲３▼、▲５▼を密閉蓋５０で密閉した。
比較例１−１および比較例１−２も実施例１と同様の測定を行い、測定結果のグラフを図６の（ｂ）および図７の（ｂ）にそれぞれ示した。
【００２０】
（実施例２）
音響部材３０を２本装着する場合であり、図８の（ａ）に示すように、音響放出開口２１ａから近い位置である位置▲１▼、▲２▼に装着した。その他の位置▲３▼、▲４▼、▲５▼には密閉蓋５０を取り付けて密閉した。そして、周波数特性（ｆ特）、第２高調波歪み（２ｎｄＨＤ）、第３高調波歪み（３ｒｄＨＤ）、アドミッタンスについて測定した。その測定結果のグラフを図８の（ｂ）に示した。
上記実施例２に対する比較例２は、図９の（ａ）に示すように、音響部材３０を位置▲３▼、▲４▼に装着し、位置▲１▼、▲２▼、▲５▼は密閉蓋５０で密閉した。比較例２も実施例２と同様の測定を行い、測定結果のグラフを図９の（ｂ）に示した。
【００２１】
（実施例３）
音響部材３０を３本装着する場合であり、図１０の（ａ）に示すように、音響放出開口２１ａから近い位置である位置▲１▼、▲２▼、▲５▼に装着した。その他の位置▲３▼、▲４▼には密閉蓋５０を取り付けて密閉した。そして、周波数特性（ｆ特）、第２高調波歪み（２ｎｄＨＤ）、第３高調波歪み（３ｒｄＨＤ）、アドミッタンスについて測定した。その測定結果のグラフを図１０の（ｂ）に示した。
上記実施例３に対する比較例３は、図１１の（ａ）に示すように、音響部材３０を位置▲３▼、▲４▼、▲５▼に装着し、位置▲１▼、▲２▼は密閉蓋５０で密閉した。比較例３も実施例３と同様の測定を行い、測定結果のグラフを図１１の（ｂ）に示した。
【００２２】
（実施例４）
音響部材３０を４本装着する場合であり、図１２の（ａ）に示すように、音響放出開口２１ａから近い位置である位置▲１▼、▲２▼、▲４▼、▲５▼に装着した。その他の位置▲３▼には密閉蓋５０を取り付けて密閉して、周波数特性（ｆ特）、第２高調波歪み（２ｎｄＨＤ）、第３高調波歪み（３ｒｄＨＤ）、アドミッタンスについて測定した。その測定結果のグラフを図１２の（ｂ）に示した。
上記実施例４に対する比較例４は、図１３の（ａ）に示すように、音響部材３０を位置▲２▼、▲３▼、▲４▼、▲５▼に装着し、位置▲１▼は密閉蓋５０で密閉した。比較例４も実施例４と同様の測定を行い、測定結果のグラフを図１３の（ｂ）に示した。
【００２３】
各実施例の音響特性の測定結果は、対応する各比較例の測定結果に比べて、周波数特性（ｆ特）、第２高調波歪み（２ｎｄＨＤ）、第３高調波歪み（３ｒｄＨＤ）の４５０Ｈｚ〜５５０Ｈｚ付近に現れるピークがいずれも低くなった。
これにより、本体２０の軸方向長さ中心よりも音響放出開口２１ａに近い位置、すなわち本体２０の軸方向長さ中心よりも音響放出開口２１ａ側に装着した場合には、音響放出開口２１ａから遠い位置に装着した場合よりも４５０Ｈｚ〜５５０Ｈｚ付近に現れる管共振の共振ピーク、特に周波数特性のピークが低くなることがわかった。これは、同じ本数の音響部材３０を装着する場合には、その本数にかかわらず見られる傾向である。
このため、音響部材３０を本体２０の軸方向長さ中心よりも音響放出開口２１ａに近い位置に装着することにより、耳障りな音を減少させて、歪みの少ない聞きやすい音を放出することができる。
【００２４】
なお、本発明のスピーカ装置１０は、前述した実施の形態に限定されるものでなく、適宜な変形、改良等が可能である。
例えば、前述した実施の形態では、音響部材３０は筒状の管の先端部にスピーカユニット３２が取り付けられた構造を示したが、スピーカユニット３２が取り付けられている音響部材３０であれば任意の形状でよい。また、本体２０と音響部材３０とはコネクタ等を介して装着される構造を示したが、任意の装着構造でよく、本体２０と音響部材３０とが一体成形されたものなどであってもよい。
また、音響放出開口２１ａにポート４１を取り付けた各実施例の測定結果を示したが、図４に示したホーン４２などの部材を取り付けても同様の効果を得ることができる。
【００２５】
また、前述の実施の形態では、筒状の本体２０の両端面に開口を設け、一方の開口を音響放出開口２１ａ、他方の端面の開口２１ｂには音響部材３０が装着可能であるが、この開口２１ｂは設けなくてもよい。
また、前述の実施の形態では、本体２０の側面に設けられた開口２２の数は４個であるが、他の数であってもよい。
また、本体２０は、本体２０の軸方向長さ中心よりも音響放出開口２１ａ側にのみ開口２２が設けられ、音響放出開口２１ａから遠い側には全く開口が無いものであってもよい。
【００２６】
また、前述の実施の形態では、本体２０および音響部材３０は断面形状が円形状のものを示したが、他の断面形状の部材でもよく、例えば長円形状や四角形状（正方形状、長方形状）などでもよい。さらに、異なる断面形状の部材を組み合わせて用いてもよい。
【００２７】
以上詳述したように、本発明に係る実施の形態のスピーカ装置１０は、少なくとも一方の端面に音響放出開口２１ａを有する筒状の本体２０を有し、本体２０の軸方向長さ中心よりも前記音響放出開口２１ａ側に、スピーカユニット３２が取り付けられた音響部材３０が装着されているので、本体２０に発生する共振ピークが低くなる（特に、４５０Ｈｚ〜５５０Ｈｚ付近に現れる管共振の共振ピーク）。これにより、耳障りな音を減少させて、歪みの少ない聞きやすい音を放出することができる。
【図面の簡単な説明】
【図１】従来のスピーカ装置を示す断面図である。
【図２】本発明に係るスピーカ装置の一実施の形態を示す斜視図である。
【図３】（Ａ）は本発明に係るスピーカ装置の一実施の形態を示す左端面図、（Ｂ）は平面図、（Ｃ）は右端面図である。
【図４】音響放出開口にホーンを取り付けた例を示す斜視図である。
【図５】実施例１の構成図（ａ）、その測定結果を示すグラフ（ｂ）である。
【図６】比較例１−１の構成図（ａ）、その測定結果を示すグラフ（ｂ）である。
【図７】比較例１−２の構成図（ａ）、その測定結果を示すグラフ（ｂ）である。
【図８】実施例２の構成図（ａ）、その測定結果を示すグラフ（ｂ）である。
【図９】比較例２の構成図（ａ）、その測定結果を示すグラフ（ｂ）である。
【図１０】実施例３の構成図（ａ）、その測定結果を示すグラフ（ｂ）である。
【図１１】比較例３の構成図（ａ）、その測定結果を示すグラフ（ｂ）である。
【図１２】実施例４の構成図（ａ）、その測定結果を示すグラフ（ｂ）である。
【図１３】比較例４の構成図（ａ）、その測定結果を示すグラフ（ｂ）である。
【符号の説明】
１０  スピーカ装置
２０  本体
２１ａ  音響放出開口
２１ｂ  開口
２２  開口
３０  音響部材
３２  スピーカユニット
４１  ポート
４２  ホーン
【図１】
2004282355.tif 000003
【図２】
2004282355.tif 000004
【図３】
2004282355.tif 000005
【図４】
2004282355.tif 000006
【図５】
2004282355.tif 000007
【図６】
2004282355.tif 000008
【図７】
2004282355.tif 000009
【図８】
2004282355.tif 000010
【図９】
2004282355.tif 000011
【図１０】
2004282355.tif 000012
【図１１】
2004282355.tif 000013
【図１２】
2004282355.tif 000014
【図１３】
2004282355.tif 000015